(57)【要約】【課題】表示パネルの端縁においても画像表示を行う。【解決手段】画像表示を行う表示領域Ｄ１と、表示領域Ｄ１の周囲に額縁領域Ｆとがそれぞれ規定された表示パネル３０を備えた表示装置５０ａであって、表示パネル３０の表示面には、表示領域Ｄ１の画像をパネル厚さ方向に対して斜め方向に平行移動するための画像スライドシート３１ａが設けられている。【選択図】図１
2009198688.tif 000002
【特許請求の範囲】
【請求項１】
画像表示を行う表示領域と、該表示領域の周囲に額縁領域とがそれぞれ規定された表示パネルを備えた表示装置であって、
上記表示パネルの表示面には、上記表示領域の画像をパネル厚さ方向に対して斜め方向に平行移動するための画像スライドシートが設けられていることを特徴とする表示装置。
【請求項２】
請求項１に記載された表示装置において、
上記画像スライドシートは、各々、パネル厚さ方向に対して斜め方向に互いに平行に延びるように密着して積み重ねられ上記表示パネルから出射された光をそれぞれ伝送するための多角柱状の複数の光伝送ファイバ部を有していることを特徴とする表示装置。
【請求項３】
請求項１に記載された表示装置において、
上記画像スライドシートは、各々、パネル厚さ方向に対して斜め方向に互いに対向するように密着して積層され上記表示パネルから出射された光をそれぞれ伝送するための板状の複数の光伝送フィルム部を有していることを特徴とする表示装置。
【請求項４】
請求項１に記載された表示装置において、
上記画像スライドシートの表面には、該画像スライドシートから入射する光をパネル厚さ方向に拡散して出射させるための光学シートが設けられていることを特徴とする表示装置。
【請求項５】
請求項１に記載された表示装置において、
上記表示パネルは、互いに対向するように配置された一対の基板と、該一対の基板の間に設けられた液晶層とを備えていることを特徴とする表示装置。
【請求項６】
請求項１に記載された表示装置において、
上記表示パネルを複数有し、
上記各表示パネルに設けられた画像スライドシートの画像が平行移動される側の端縁は、互いに突き合わせられていることを特徴とする表示装置。
【発明の詳細な説明】
【技術分野】
【０００１】
本発明は、表示装置に関し、特に、表示領域の周囲に額縁領域が規定された表示パネルを備えた表示装置に関するものである。
【背景技術】
【０００２】
大型の表示画面を有する表示装置として、複数の液晶表示パネルが同一平面上に隣接するように配置された液晶表示装置が広く知られている。
【０００３】
例えば、特許文献１には、同一平面上に配置された複数の液晶表示パネルと、それらの複数の液晶表示パネルのうち隣接配置した液晶表示パネル同士を接合すると共に、遮光性を有する遮光性粒子及びその遮光性粒子を分散保持する接着樹脂相からなる接合部とを備えた表示パネル複合体が開示されている。そして、これによれば、接合部からの光漏れを防止することができる、と記載されている。
【０００４】
また、特許文献２には、複数の単位平面型表示装置が配置された平面型画像表示装置において、各単位平面型表示装置の前面板の端部に形成された導電接続部が背面側に形成された導電接続部材に接続され、その背面側の導電接続部材が前面板の外周部よりも突出しないようにすることが記載されている。そして、これによれば、単位平面型表示装置の前面板の端面を直接に接触させることができ、実質的に境界がない表示品質が優れた画像を表示することができる、と記載されている。
【特許文献１】特開２００１−２４９３３１号公報
【特許文献２】特開２００２−２７８４８３号公報
【発明の開示】
【発明が解決しようとする課題】
【０００５】
ところで、液晶表示パネルは、互いに対向して配置された一対の基板と、それらの両基板の間に設けられた液晶層と、それらの両基板を貼り合わせると共に、その基板間に液晶層を封入するためのシール材とを備えている。また、液晶表示パネルでは、上記シール材の内側の領域に画像表示を行う表示領域が規定され、その表示領域の周囲に上記シール材などが配置する額縁領域が規定されている。そして、液晶表示パネルでは、液晶層を基板間に封入するためにシール材が不可欠であるので、その端縁に画像表示に直接寄与しない額縁領域が必ず配置される。そのため、液晶表示パネルでは、その端縁において画像を表示させることが困難であるので、例えば、アミューズメント用途では、液晶表示パネルの端縁においても画像を表示させることが要望されている。さらに、上記各特許文献に開示された表示パネル複合体などでは、液晶表示パネルの端縁においても画像表示を行うことができれば、隣接する各液晶表示パネルの間隔が狭くなり、各液晶表示パネルの境界が無くなることにより、複数の液晶表示パネルを用いた新しい表現方法及び利用方法を提案することができる。
【０００６】
本発明は、かかる点に鑑みてなされたものであり、その目的とするところは、表示パネルの端縁においても画像表示を行うことにある。
【課題を解決するための手段】
【０００７】
上記目的を達成するために、本発明は、表示パネルの表示面に画像スライドシートを設けるようにしたものである。
【０００８】
具体的に本発明に係る表示装置は、画像表示を行う表示領域と、該表示領域の周囲に額縁領域とがそれぞれ規定された表示パネルを備えた表示装置であって、上記表示パネルの表示面には、上記表示領域の画像をパネル厚さ方向に対して斜め方向に平行移動するための画像スライドシートが設けられていることを特徴とする。
【０００９】
上記の構成によれば、表示パネルの表示面に画像スライドシートが設けられているので、表示パネルの表示領域の画像がパネル厚さ方向に対して斜め方向に平行移動することになる。これにより、表示パネルの表示領域の画像をその額縁領域の外周端上まで平行移動させることが可能になるので、表示パネルの端縁においても画像表示を行うことが可能になる。
【００１０】
上記画像スライドシートは、各々、パネル厚さ方向に対して斜め方向に互いに平行に延びるように密着して積み重ねられ上記表示パネルから出射された光をそれぞれ伝送するための多角柱状の複数の光伝送ファイバ部を有していてもよい。
【００１１】
上記の構成によれば、画像スライドシートがパネル厚さ方向に対して斜め方向に積み重ねられた複数の光伝送ファイバ部を有しているので、表示パネルの表示領域の画像に基づいて表示パネルから出射された光が各光伝送ファイバ部を介してパネル厚さ方向に対して斜め方向に伝送されることにより、表示パネルの表示領域の画像が具体的にパネル厚さ方向に対して斜め方向に平行移動することになる。
【００１２】
上記画像スライドシートは、各々、パネル厚さ方向に対して斜め方向に互いに対向するように密着して積層され上記表示パネルから出射された光をそれぞれ伝送するための板状の複数の光伝送フィルム部を有していてもよい。
【００１３】
上記の構成によれば、画像スライドシートがパネル厚さ方向に対して斜め方向に積層された光伝送フィルム部を有しているので、表示パネルの表示領域の画像に基づいて表示パネルから出射された光が各光伝送フィルム部を介してパネル厚さ方向に対して斜め方向に伝送されることにより、表示パネルの表示領域の画像が具体的にパネル厚さ方向に対して斜め方向に平行移動することになる。
【００１４】
上記画像スライドシートの表面には、該画像スライドシートから入射する光をパネル厚さ方向に拡散して出射させるための光学シートが設けられていてもよい。
【００１５】
上記の構成によれば、画像スライドシート内をパネル厚さ方向に対して斜め方向に伝送してきた光が光学シートによりパネル厚さ方向に出射されるので、表示パネルの額縁領域の外周端上まで平行移動された画像を表示装置の正面又は斜めの角度から覗く場合でも確実に視認することが可能になる。
【００１６】
上記表示パネルは、互いに対向するように配置された一対の基板と、該一対の基板の間に設けられた液晶層とを備えていてもよい。
【００１７】
上記の構成によれば、表示パネルが一対の基板と、その基板間に設けられた液晶層とを備えているので、表示パネルを備えた表示装置として、液晶表示パネルを備えた液晶表示装置が具体的に構成される。
【００１８】
上記表示パネルを複数有し、上記各表示パネルに設けられた画像スライドシートの画像が平行移動される側の端縁は、互いに突き合わせられていてもよい。
【００１９】
上記の構成によれば、各表示パネルに設けられた画像スライドシートの画像が平行移動された側の端縁を互いに突き合わせているので、隣接する各表示パネルの間隔が見かけ上狭くなり、各表示パネルの境界がなくなることにより、複数の表示パネルを用いた新しい表現方法及び利用方法を提案することが可能になる。
【発明の効果】
【００２０】
本発明によれば、表示パネルの表示面に画像スライドシートが設けられているので、表示パネルの端縁においても画像表示を行うことができる。
【発明を実施するための最良の形態】
【００２１】
以下、本発明の実施形態を図面に基づいて詳細に説明する。なお、本発明は、以下の各実施形態に限定されるものではない。
【００２２】
《発明の実施形態１》
図１〜図４は、本発明に係る表示装置の実施形態１を示している。具体的に図１は、本実施形態の液晶表示装置５０ａの断面図である。
【００２３】
液晶表示装置５０ａは、図１に示すように、筐体３５ａの内上部に収容された液晶表示パネル３０と、筐体３５ａの底部に収容されたバックライトユニット３４と、液晶表示パネル３０及びバックライトユニット３４の間に設けられた拡散シート３３と、液晶表示パネル３０の上面（表示面）に設けられた画像スライドシート３１ａと、画像スライドシート３１ａの上面に設けられた光学シート３２とを備えている。
【００２４】
液晶表示パネル３０は、図１に示すように、互いに対向するように配置された一対の基板として設けられたアクティブマトリクス基板１０及び対向基板２０と、アクティブマトリクス基板１０及び対向基板２０の間に設けられた液晶層１５と、アクティブマトリクス基板１０及び対向基板２０を互いに接着すると共に、アクティブマトリクス基板１０及び対向基板２０の間で液晶層１５を封入するためのシール材１６とを備えている。なお、液晶表示パネル３０の上面及び下面には、それぞれ偏光板（不図示）が貼り付けられている。
【００２５】
また、液晶表示パネル３０では、図１及び図２に示すように、画像表示を行うための矩形状の表示領域Ｄ１、及び表示領域Ｄ１の周囲にシール材１６が配置する枠状の額縁領域Ｆがそれぞれ規定されている。なお、図２は、液晶表示パネル３０の平面図である。
【００２６】
アクティブマトリクス基板１０は、例えば、ガラス基板（不図示）と、そのガラス基板上に互いに平行に延びるように設けられた複数のゲート線（不図示）と、各ゲート線と直交する方向に互いに平行に延びるように設けられた複数のソース線（不図示）と、各ゲート線及び各ソース線の交差部毎にそれぞれ設けられた複数のＴＦＴ（不図示）と、各ＴＦＴを覆うように設けられた層間絶縁膜（不図示）と、その層間絶縁膜上にマトリクス状に設けられ、各ＴＦＴにそれぞれ接続された複数の画素電極（不図示）と、各画素電極を覆うように設けられた配向膜（不図示）とを備えている。ここで、各画素電極は、画像の最小単位である画素を構成すると共に、マトリクス状に配列することにより全体で表示領域Ｄを構成している。なお、各画素のサイズは、例えば、０．２０ｍｍ×０．０７ｍｍ程度である。
【００２７】
対向基板２０は、例えば、ガラス基板（不図示）と、そのガラス基板上に設けられた赤色層（Ｒ）、緑色層（Ｇ）及び青色層（Ｂ）を有するカラーフィルター層（不図示）と、そのカラーフィルター層を覆うように設けられた共通電極（不図示）と、その共通電極を覆うように設けられた配向膜（不図示）とを備えている。
【００２８】
液晶層１５は、電気光学特性を有するネマチックの液晶材料などにより構成されている。
【００２９】
筐体３５ａ、例えば、ステンレスなどにより箱形に形成され、その側壁の上面が液晶表示パネル３０の上面と一致するように構成されている。
【００３０】
バックライトユニット３４は、例えば、透明な樹脂製の導光板（不図示）と、その導光板の下面に設けられた反射シート（不図示）と、その導光板の側方に設けられた冷陰極蛍光管などのランプ（不図示）と、そのランプを収容するように設けられたリフレクタ（不図示）とを備えている。
【００３１】
拡散シート３３は、バックライトユニット３４から出射される光を散乱及び拡散して、表示面全体を均一な明るさにするように構成されている。
【００３２】
ここで、図３は、画像スライドシート３１ａの平面図であり、図４は、画像スライドシート３１ａの作製方法を示すファイバ集合体Ｌ１の側面図である。
【００３３】
画像スライドシート３１ａは、図３及び図４に示すように、パネル厚さ方向に対して斜め方向に互いに平行に延びるように密着して積み重ねられた多角柱状の複数の光伝送ファイバ部１ａを有している。そして、画像スライドシート３１ａでは、液晶表示パネル３０の表示領域Ｄ１の画像に基づいて液晶表示パネル３０から出射された光が各光伝送ファイバ部１ａを介してパネル厚さ方向に対して斜め方向に伝送されることにより、図１に示すように、液晶表示パネル３０の表示領域Ｄ１における画像がパネル厚さ方向に対して斜め方向に平行移動して表示領域Ｄ２において表示される。
【００３４】
光伝送ファイバ部１ａは、いわゆるプラスチック製の光ファイバを構成し、図３及び図４に示すように、例えば、その切断面が六角形状に形成されている。また、光伝送ファイバ部３１ａは、各画素のサイズよりも小さく形成されている。なお、本実施形態では、光伝送ファイバ部３１ａの切断面の形状として、六角形を例示したが、隙間なく配置できれば、三角形、正方形、長方形などの多角形であってもよい。
【００３５】
また、画像スライドシート３１ａは、図４に示すように、例えば、横断面が正六角形状の光ファイバ１を多数束ねた状態で各光ファイバ１を互いに接着することによりファイバ集合体Ｌ１を作製した後に、そのファイバ集合体Ｌ１を各光ファイバ１の長さ方向に対して斜め方向に切り出すことにより作製することができる。
【００３６】
光学シート３２は、画像スライドシート３１ａから入射する光をパネル厚さ方向に拡散して出射させるように構成されたプリズムシートなどである。
【００３７】
以上説明したように、本実施形態の液晶表示装置５０ａによれば、液晶表示パネル３０の上面（表示面）に画像スライドシート３１ａが設けられているので、液晶表示パネル３０の表示領域Ｄ１の画像がパネル厚さ方向に対して斜め方向に平行移動することになる。これにより、液晶表示パネル３０の表示領域Ｄ１の画像をその額縁領域Ｆの外周端上まで平行移動させることができるので、液晶表示パネル３０の端縁においても画像表示を行うことができる。
【００３８】
また、本実施形態の液晶表示装置５０ａでは、画像スライドシート３１ａ内をパネル厚さ方向に対して斜め方向に伝送してきた光が光学シート３２によりパネル厚さ方向に出射されるので、液晶表示パネル３０の額縁領域Ｆの外周端上まで平行移動された画像を液晶表示装置５０ａの正面又は斜めの角度から覗く場合でも確実に視認することができる。
【００３９】
《発明の実施形態２》
図５は、本実施形態の液晶表示装置を構成する画像スライドシート３１ｂの平面図である。そして、図６は、画像スライドシート３１ｂの作製方法を示すフィルム積層体Ｌ２の説明図であり、図７は、フィルム積層体Ｌ２の側面図である。なお、以下の各実施形態において、図１〜図４と同じ部分については同じ符号を付して、その詳細な説明を省略する。
【００４０】
上記実施形態１の液晶表示装置５０ａでは、複数の光伝送ファイバ部１ａを備えた画像スライドシート３１ａを例示したが、本実施形態の液晶表示装置では、その画像スライドシート３１ａの代わりに、図５に示すように、複数の光伝送フィルム部２ａを備えた画像スライドシート３１ｂが構成されている。
【００４１】
具体的に画像スライドシート３１ｂは、図５及び図７に示すように、パネル厚さ方向に対して斜め方向に互いに対向するように密着して積層された複数の光伝送フィルム部２ａを有している。そして、画像スライドシート３１ｂでは、液晶表示パネル３０の表示領域Ｄ１の画像に基づいて液晶表示パネル３０から出射された光が各光伝送フィルム部２ａを介してパネル厚さ方向に対して斜め方向に伝送されることにより、液晶表示パネル３０の表示領域Ｄ１における画像がパネル厚さ方向に対して斜め方向に平行移動して表示領域Ｄ２において表示される。
【００４２】
光伝送フィルム部２ａは、アクリル樹脂などの透明なフィルム基板により構成され、図５に示すように、例えば、その切断面が細長の長方形に形成されている。また、光伝送フィルム部２ａの幅は、各画素のサイズよりも小さく形成されている。
【００４３】
また、画像スライドシート３１ｂは、図６及び図７に示すように、例えば、多数の板状のフィルム２を積層した状態で各フィルム２を互いに接着することによりフィルム積層体Ｌ２を作製した後に、そのフィルム積層体Ｌ２を各フィルム２の表面に対して斜め方向に切り出すことにより作製することができる。
【００４４】
本実施形態の画像スライドシート３１ｂを備えた液晶表示装置によれば、上記実施形態１と同様に、液晶表示パネル３０の表示面に画像スライドシート３１ｂが設けられているので、液晶表示パネル３０の端縁においても画像表示を行うことができる。
【００４５】
《発明の実施形態３》
図８は、本実施形態の液晶表示装置５０ｃの断面図である。
【００４６】
上記各実施形態の液晶表示装置では、１つの液晶表示パネル３０を備えていたが、本実施形態の液晶表示装置５０ｃでは、図８に示すように、２つの液晶表示パネル３０ａ及び３０ｂを備えている。
【００４７】
具体的に液晶表示装置５０ｃでは、図８に示すように、上記実施形態１の筐体３５ａに対応する筐体３５ｃが、各々、液晶表示パネル３０ａ又は３０ｂと、拡散シート３３と、バックライトユニット３４とを収容するように２つの凹部を有し、各液晶表示パネル３０ａ及び３０ｂの表示面にそれぞれ設けられた画像スライドシート３１ｃ及び３１ｄの画像が平行移動される側の端縁が互いに突き合わせられている。
【００４８】
液晶表示装置５０ｃでは、図８に示すように、液晶表示パネル３０ａの表示面に設けられた画像スライドシート３１ｃにより、液晶表示パネル３０ａの表示領域Ｄ１ａの画像に基づいて液晶表示パネル３０ａから出射された光がパネル厚さ方向に対して斜め方向（図中右斜め上方向）に伝送されることにより、液晶表示パネル３０ａの表示領域Ｄ１ａにおける画像がパネル厚さ方向に対して斜め方向に平行移動して表示領域Ｄ２ａにおいて表示されると共に、液晶表示パネル３０ｂの表示面に設けられた画像スライドシート３１ｄにより、液晶表示パネル３０ｂの表示領域Ｄ１ｂの画像に基づいて液晶表示パネル３０ｂから出射された光がパネル厚さ方向に対して斜め方向（図中左斜め上方向）に伝送されることにより、液晶表示パネル３０ｂの表示領域Ｄ１ｂにおける画像がパネル厚さ方向に対して斜め方向に平行移動して表示領域Ｄ２ｂにおいて表示される。なお、画像スライドシート３１ｃ及び３１ｄは、上記実施形態１で説明した画像スライドシート３１ａであっても、上記実施形態２で説明した画像スライドシート３１ｂであってもよい。
【００４９】
本実施形態の液晶表示装置５０ｃによれば、各液晶表示パネル３０ａ及び３０ｂの表示面にそれぞれ設けられた画像スライドシート３１ｃ及び３１ｄの画像が平行移動された側の端縁を互いに突き合わせているので、液晶表示パネル３０ａ及び３０ｂの間隔が見かけ上なくなり、液晶表示パネル３０ａ及び３０ｂの境界がなくなることにより、複数の液晶表示パネルを用いた新しい表現方法及び利用方法を提案することができる。
【００５０】
また、上記各実施形態では、液晶表示パネルの額縁領域の１辺側（矩形状の表示領域の縦方向又は横方向）に表示領域の画像を平行移動させる構成を例示したが、液晶表示パネルの額縁領域の隣り合う２辺側（矩形状の表示領域の対角方向）に表示領域の画像を平行移動させてもよい。
【００５１】
また、上記実施形態３では、２つの液晶表示パネルを連結した液晶表示装置を例示したが、本発明は、例えば、上述したように、液晶表示パネルの額縁領域の隣り合う２辺側に表示領域の画像を平行移動させることにより、４つの液晶表示パネルを連結した液晶表示装置など、複数の表示パネルを連結した表示装置にも適用することができる。
【００５２】
また、上記各実施形態では、表示装置として、液晶表示装置を例示したが、本発明は、有機ＥＬ（electro luminescence）表示装置や無機ＥＬ表示装置などの他の表示装置にも適用することができる。
【産業上の利用可能性】
【００５３】
以上説明したように、本発明は、表示パネルの端縁においても画像表示を行うことができるので、端縁に額縁領域が不可欠な液晶表示パネル及びそれを備えた液晶表示装置について有用である。
【図面の簡単な説明】
【００５４】
【図１】実施形態１に係る液晶表示装置５０ａの断面図である。
【図２】液晶表示装置５０ａを構成する液晶表示パネル３０の平面図である。
【図３】液晶表示装置５０ａを構成する画像スライドシート３１ａの平面図である。
【図４】画像スライドシート３１ａの作製方法を示すファイバ集合体Ｌ１の側面図である。
【図５】実施形態２に係る液晶表示装置を構成する画像スライドシート３１ｂの平面図である。
【図６】画像スライドシート３１ｂの作製方法を示すフィルム積層体Ｌ２の説明図である。
【図７】フィルム積層体Ｌ２の側面図である。
【図８】実施形態３に係る液晶表示装置５０ｃの断面図である。
【符号の説明】
【００５５】
Ｄ１，Ｄ１ａ，Ｄ１ｂ    表示領域
Ｆ      額縁領域
１ａ    光伝送ファイバ部
２ａ    光伝送フィルム部
１０    アクティブマトリクス基板
１５    液晶層
２０    対向基板
３０，３０ａ，３０ｂ    液晶表示パネル
３１，３１ａ〜３１ｄ    画像スライドシート
３２    光学シート
５０ａ，５０ｃ          液晶表示装置
【図１】
2009198688.tif 000003
【図２】
2009198688.tif 000004
【図３】
2009198688.tif 000005
【図４】
2009198688.tif 000006
【図５】
2009198688.tif 000007
【図６】
2009198688.tif 000008
【図７】
2009198688.tif 000009
【図８】
2009198688.tif 000010